(57)【要約】      （修正有）【課題】  管理対象物とシステムとの間で管理対象物の属性情報を授受する情報利用システムを提供する。【解決手段】  管理対象物３に取り付けられたＩＣタグ４が、管理対象物３が管理されている情報管理システム１０のシステムＩＤ４０ａと、情報管理システム１０における管理対象物３の管理ＩＤ４０ｂとの組からなる管理情報４０を少なくとも一つ記憶して構成され、また、携帯端末２が、ＩＣタグ４から非接触で管理情報４０を読み出す読出処理２２と、読出処理２２により読み出された管理情報４０を表示して、利用する管理情報４０を選択する選択処理２３と、選択処理２３により選択された管理情報４０のシステムＩＤ４０ａと管理ＩＤ４０ｂにより情報管理システム１０にアクセスして管理対象物３の属性情報を授受するＡＰ実行処理２５とから構成される。【選択図】  図１
2006215602.tif 000002
【特許請求の範囲】
【請求項１】
管理対象物に取り付けられたＩＣタグと、
情報端末と、
前記管理対象物の属性情報を管理する少なくとも一つの情報管理システムと、
前記情報端末および前記情報管理システムを接続するネットワークとを有し、
前記ＩＣタグが、前記管理対象物が管理されている前記情報管理システムのシステム識別情報と、前記情報管理システムにおける前記管理対象物の管理識別情報との組からなる管理情報を少なくとも一つ記憶し、
前記情報端末が、
前記ＩＣタグから非接触で前記管理情報を読み出す読出手段と、
前記読出手段により読み出された前記管理情報を表示して、利用する前記管理情報を選択する選択手段と、
前記選択手段により選択された前記管理情報の前記システム識別情報と前記管理識別情報により前記情報管理システムにアクセスして前記管理対象物の前記属性情報を授受するＡＰ実行手段とから構成されることを特徴とする情報利用システム。
【請求項２】
前記ネットワークに接続され、前記情報管理システムをアクセスするためのインタフェースプログラムを前記システム識別情報に対応付けて管理するとともに、前記インタフェースプログラムを前記ネットワークを介して前記情報端末に提供する端末管理サーバを有し、
前記情報端末が、
前記選択手段により選択された前記管理情報の前記システム識別情報を前記端末管理サーバに送信して、前記システム識別情報に対応した前記インタフェースプログラムを得るシステムロード手段を有し、
前記ＡＰ実行手段が、前記システムロード手段により得られた前記インタフェースプログラムを用いて前記情報管理システムにアクセスして前記管理対象物の前記属性情報を授受するように構成されたことを特徴とする請求項１に記載の情報利用システム。
【発明の詳細な説明】
【技術分野】
【０００１】
本発明は、管理対象物に取り付けられたＩＣタグからその管理対象物に割り当てられた固有コードを読み取り、その固有コードに対応したシステムとの間で属性情報を授受する情報利用システムに関する。
【背景技術】
【０００２】
商品管理や設備管理のために、バーコードやＩＣタグが用いられ、個々に付けられた固有の識別情報（以降の説明においては「ＩＤ」と呼ぶ）により、在庫確認や流通経路の確認、また設備参照への応用が考案され、実用化されている（例えば、特許文献１参照）。
【０００３】
【特許文献１】特開２００２−２６９１８４号公報
【発明の開示】
【発明が解決しようとする課題】
【０００４】
しかしながら、設備情報管理システム、ノウハウ管理システム、点検管理システム等、従来から多種多様のシステムを利用していることが常であるが、それぞれのシステムは独立して設計されているものがほとんどあり、同じ設備でもシステム毎に異なるＩＤが付けられている場合がある。そのため、同じ設備に対してシステム毎に異なるＩＤを用いなければならず、また、情報を検索するためにシステム毎に異なる検索条件やメニュー操作をしなければならないという課題があった。
【０００５】
本発明はこのような課題に鑑みてなされたものであり、管理対象物に取り付けられたＩＣタグからその管理対象物の固有コードを読み取り、その固有コードに対応したシステムとの間で管理対象物の属性情報を授受する情報利用システムを提供することを目的とする。
【課題を解決するための手段】
【０００６】
前記課題を解決するために、本発明に係る情報利用システムは、管理対象物に取り付けられたＩＣタグと、情報端末（例えば、実施形態における携帯端末２）と、管理対象物の属性情報を管理する少なくとも一つの情報管理システムと、情報端末および情報管理システムを接続するネットワーク（例えば、実施形態における広域ネットワーク６や内部ネットワーク９）とを有し、ＩＣタグが、管理対象物が管理されている情報管理システムのシステム識別情報と、情報管理システムにおける管理対象物の管理識別情報との組からなる管理情報を少なくとも一つ記憶して構成される。そして、情報端末が、ＩＣタグから非接触で管理情報を読み出す読出手段（例えば、実施形態における読出処理２２）と、読出手段により読み出された管理情報を表示して、利用する管理情報を選択する選択手段（例えば、実施形態における選択処理２３）と、選択手段により選択された管理情報のシステム識別情報と管理識別情報により情報管理システムにアクセスして管理対象物の属性情報を授受するＡＰ実行手段（例えば、実施形態におけるＡＰ実行処理２５）とから構成される。
【０００７】
なお、本発明に係る情報利用システムは、ネットワークに接続され、情報管理システムをアクセスするためのインタフェースプログラムをシステム識別情報に対応付けて管理するとともに、インタフェースプログラムをネットワークを介して情報端末に提供する端末管理サーバを有し、情報端末が、選択手段により選択された管理情報のシステム識別情報を端末管理サーバに送信して、このシステム識別情報に対応したインタフェースプログラムを得るシステムロード手段（例えば、実施形態におけるシステムロード処理２４）を有して、ＡＰ実行手段が、システムロード手段により得られたインタフェースプログラムを用いて情報管理システムにアクセスして管理対象物の属性情報を授受するように構成されることが好ましい。
【発明の効果】
【０００８】
本発明に係る情報利用システムを以上のように構成すると、情報端末から既存の情報管理システムをそのまま活用することが可能となり、また、システム識別情報と管理識別情報により管理対象物の属性情報を情報管理システムから検索することができるため、同一の管理対象物が異なる管理識別情報で異なるシステムに管理されていたとしても、検索作業が簡略化されるとともに、現場での入力作業を低減して作業効率を向上させることができる。また、管理対象物の属性情報は情報管理サーバにあるため、この携帯端末を紛失しても情報が外部に漏洩する虞がない。また、ＩＣタグには管理情報だけが記憶されるため、記憶容量の小さいＩＣタグを用いることができ、携帯端末との間の通信時間も短くすることができる。
【０００９】
さらに、端末管理サーバからシステム識別情報に対応したインタフェースプログラムを情報端末にダウンロードして実行するように構成することにより、情報端末で記憶する情報を少なくしてこの情報端末の小型化ができて携帯性・可搬性が向上するとともに、新しい情報管理システムが増えた場合あるいは情報管理システムに変更がされた場合の対応も容易に行うことができるため保守性が向上する。
【発明を実施するための最良の形態】
【００１０】
以下、本発明の好ましい実施形態について図面を参照して説明する。まず、図１を用いて、本発明に係る情報利用システム１について説明する。この情報利用システム１は、ＰＤＡ、ペンＰＣ、あるいは、携帯電話等からなる情報端末（本実施例においては、「携帯端末２」として説明する）および広域ネットワーク６を用いて、内部ネットワーク９に接続された情報管理システム１０から電力設備等の管理対象物３の属性情報を検索する、若しくは、その管理対象物３の属性情報を情報管理システム１０に登録するものである。ここで、本実施例においては、情報管理システム１０として、設備管理情報システム１１、ナレッジシステム１２、および、点検情報管理システム１３を有するものとして説明する。また、携帯端末２からは、ＰＨＳ網や携帯電話網、若しくは、無線ＬＡＮ等を用いて基地局５から広域ネットワーク６に接続するものとして説明する。
【００１１】
情報利用システム１は、上述の携帯端末２、例えば電力設備等の管理対象物３、この管理対象物３に取り付けられたＩＣタグ４、携帯端末２と広域ネットワーク６とを接続する基地局５、携帯端末２を管理し、記憶装置８に記憶されたインタフェースプログラムを携帯端末２に提供する端末管理サーバ７、広域ネットワーク６と端末管理サーバ７とを接続する内部ネットワーク９、および、情報管理システム１０とから構成される。
【００１２】
管理対象物３には、ＩＣタグ４が取り付けられており、このＩＣタグ４には予め図２に示すような管理データ４０が記憶されている。管理データ４０は、そのＩＣタグ４自体を識別するタグ識別情報（タグＩＤ）４１、設備管理情報システム１１でこの管理対象物３を識別するための情報４２、ナレッジシステム１２でこの管理対象物３を識別するための情報４３、および、点検情報管理システム１３でこの管理対象物３を識別するための情報４４が、それぞれ、システム識別情報（システムＩＤ）４０ａ、管理識別情報（管理ＩＤ）４０ｂ、および、備考４０ｃのカラム毎にＩＣタグ４に記憶されている。
【００１３】
端末管理サーバ７は、携帯端末２と通信を行い、この携帯端末２が情報管理システム１０のいずれか（１１〜１３）を利用するためのインタフェースプログラムを提供するものであり、これらのインタフェースプログラムは、端末管理サーバ７の記憶装置８にインタフェース情報８０として記憶されている。インタフェース情報８０は、上述の設備管理システム１１を利用するための情報８１、ナレッジシステム１２を利用するための情報８２、および、点検情報管理システム１３を利用するための情報８３が、それぞれ、システムＩＤ８０ａ、インタフェースプログラム８０ｂ、および、備考８０ｃのカラム毎に記憶装置８に記憶されている。端末管理サーバ７は、携帯端末２から送信されたシステムＩＤ４０ａによりインタフェース情報８０のシステムＩＤ８０ａを検索し、システムＩＤ４０ａと一致するインタフェースプログラム８０ｂを記憶装置８から取り出して携帯端末２に送信する。
【００１４】
携帯端末２は、ＩＣタグ４と非接触で情報の送受信を行うリーダライタ２１、基地局５と通信を行うネットワークインタフェース２５、ＩＣタグ４から管理データ４０をリーダライタ２１により読み出す読出処理２２、読み出された管理データ４０を携帯端末２の画面に表示して、利用者に利用したい情報管理システム１０（１１〜１３）を選択させ、選択された情報管理システム１０（１１〜１３）に対応するインタフェースプログラム８０ｂを端末管理サーバ７からダウンロードするシステムロード処理２４、および、ダウンロードされたインタフェースプログラムを実行して選択された情報管理システム１０（１１〜１３）の業務を行うＡＰ実行処理２５とから構成される。
【００１５】
利用者は、管理対象物３の近傍で携帯端末２を操作して、読出処理２２によりＩＣタグ４から管理データ４０を読み出すと、選択処理２３により管理データ４０に記憶されている情報管理システム１０の一覧がこの携帯端末２の表示装置に表示される。そして、利用者がそれらの情報管理システム１０の一つを選択すると、システムロード処理２４によりその情報管理システム１０（１１〜１３）のシステムＩＤ４０ａが基地局５、広域ネットワーク６、および、内部ネットワーク９を経由して端末管理サーバ７に送信される。端末管理サーバ7では上述のように、システムＩＤ８０ａに対応するインタフェースプログラム８０ｂを携帯端末２に送信し、携帯端末２のＡＰ実行処理２５は、そのインタフェースプログラム８０ｂを実行する。そして、利用者は、インタフェースプログラム８０ｂにより情報管理システム１０（１１〜１３）のいずれかと通信することにより、そのシステムを用いて管理対象物３の情報を検索したり、記憶させたりすることにより業務を行う。
【００１６】
例えば、利用者が設備保守要員である場合は、携帯端末２を利用して、インタフェースプログラム８０ｂにより設備管理システム１１から管理対象物３の設備情報を取得してその管理対象物３の確認を行うことができる。また同様に、ナレッジシステム１２にアクセスして管理対象物３に関する故障事例やトラブル事例を参照して対策を立てたり、その保守結果を設備点検情報１３に記憶させたりすることができる。
【００１７】
このように管理対象物３に取り付けられたＩＣタグ４に、その管理対象物３の管理ＩＤ４０ｂを情報管理システム１０（１１〜１３）のシステムＩＤ４０ａに対応させて記憶させておき、これらのＩＤ４０ａを用いて、インタフェースプログラム８０ｂを端末管理サーバ７からダウンロードしてそれぞれのシステム１１〜１３にアクセスするように構成することにより、携帯端末２から既存の情報管理システム１０をそのまま活用することが可能となる。なお、本実施例においては３種類の情報管理システム１０（１１〜１３）を利用する場合について説明したが、ＩＣタグ４の記憶容量に応じて管理データ４０として記憶する情報管理システム１０の情報は増やすことができる。
【００１８】
特に、ＩＣタグ４に記憶されているシステムＩＤ４０ａに対応づけて端末管理サーバ７の記憶装置８にそのシステム１１〜１３を利用するためのインタフェースプログラム８０ｂを記憶させておくことにより、携帯端末２は、そのインタフェースプログラム８０ｂとＩＣタグ４から読み出された管理ＩＤ４０ｂにより対象システム１１〜１３からその管理対象物３の情報を検索する、若しくは、書き込むことができるため、情報管理システム１０（１１〜１３）を利用するための複雑な検索処理等が不要となり各システム１０（１１〜１３）の利用が容易になる。また、このような携帯端末２を用いて作業現場で情報を入力するような操作は困難である場合が多いが、システム専用のインタフェースプログラム８０ｂにより、利用者はシステム１０（１１〜１３）それぞれの利用方法（検索方法）を知る必要はなく、また、携帯端末２からの入力作業を低減することができ、作業効率を向上させることができる。また、管理対象物３が管理されている情報管理システム１０の管理情報４０をＩＣタグ４に記憶させておくことにより、利用者は、必要なシステム１０だけを参照することができる。
【００１９】
さらに、ネットワーク６，９を介して情報管理システム１０にアクセスするように構成することにより、携帯端末２に予めこれらの情報管理システム１０の情報を保持する必要がなく、必要なときに必要な情報を情報管理システム１０と送受信することができる。このような携帯端末２は、利用者が携帯して外部（現場）で利用するものであるが、この携帯端末２を紛失しても、管理対象物３に関する情報が携帯端末２に記憶されていないため、外部に漏洩することがなくセキュリティが向上する。また、記憶する情報が少ないため、携帯端末２を小型化することができ、現場への持ち運びが容易になる。さらに、インタフェース情報８０を端末管理サーバ７で管理することにより、新しい情報管理システム１０が増えても、それに対応したインタフェース情報８０を記憶装置８に記憶して対応することができ、保守性が向上する。一方、ＩＣタグ４には管理データ４０だけが記憶されているため、管理対象物３の属性情報等を記憶させる必要がないため、メモリ容量の小さいＩＣタグ４を用いることができ、また、通信時間も短くすることができる。
【００２０】
なお、以上の実施例においては、インタフェースプログラム８０ｂをネットワーク６，９を経由して端末管理サーバ７からダウンロードする場合について説明したが、これらのインタフェースプログラムを携帯端末２に予め記憶させておき、システムＩＤ４０ａに応じて利用するように構成することも可能である。あるいは、情報管理システム１０がＷｅｂベースで構築されている場合は、システムＩＤ４０ａおよび管理ＩＤ４０ｂから情報管理システム１０をアクセスするためのＵＲＬを生成し、そのＵＲＬを用いてＷｅｂブラウザから直接アクセスするように構成してもよい。その場合、端末管理サーバ７および記憶装置８は無くても良い。
【図面の簡単な説明】
【００２１】
【図１】本発明に係る情報利用システムの構成を示すブロック図である。
【図２】ＩＣタグに記憶されている管理情報の構造を示すデータ構造図である。
【図３】端末管理サーバの記憶装置に記憶されているインタフェース情報の構造を示すデータ構造図である。
【符号の説明】
【００２２】
１  情報利用システム
２  携帯端末（情報端末）
３  管理対象物
４  ＩＣタグ
６  広域ネットワーク（ネットワーク）
７  端末管理サーバ
９  内部ネットワーク（ネットワーク）
１０  情報管理システム
２２  読出処理（読出手段）
２３  選択処理（選択手段）
２４  システムロード処理（システムロード手段）
２５  ＡＰ実行処理（ＡＰ実行手段）
４０  管理情報
４０ａ  システムＩＤ
４０ｂ  管理ＩＤ
８０  インタフェース情報
８０ａ  システムＩＤ
８０ｂ  インタフェースプログラム
【図１】
2006215602.tif 000003
【図２】
2006215602.tif 000004
【図３】
2006215602.tif 000005